(57)【要約】【課題】  表示光の着色を緩和して高画質の表示を実現することが可能な、有機ＥＬ装置を提供する。【解決手段】  一対の電極間に少なくとも発光層を備え、前記発光層からの光を一方の前記電極で反射させるとともに他方の前記電極から出射させる有機ＥＬ装置であって、白表示における発光色度Ｅ１，Ｅ２と、非点灯時における外光の反射色度Ｆ１，Ｆ２とが、補色関係にあることを特徴とする。例えば、Ｃ光源白色の色度Ｃに対して、白表示における発光色度Ｅ１がＥ１＞Ｃの場合に、非点灯時における外光の反射色度Ｆ１がＦ１＜Ｃとされている。【選択図】        図３
2006049463.tif 000002
【特許請求の範囲】
【請求項１】
一対の電極間に少なくとも発光層を備え、前記発光層からの光を一方の前記電極で反射させるとともに他方の前記電極から出射させる有機ＥＬ装置であって、
白表示における発光色度と、非点灯時における外光の反射色度とが、補色関係にあることを特徴とする有機ＥＬ装置。
【請求項２】
一対の電極間に少なくとも発光層を備え、前記発光層からの光を一方の前記電極で反射させるとともに他方の前記電極から出射させる有機ＥＬ装置であって、
ＣＩＥ１９３１表色系におけるＣ光源白色の色度（ＸＣ，ＹＣ）に対して、白表示における発光色度（ＸＥＬ，ＹＥＬ）がＸＥＬ＞ＸＣかつＸＥＬ＞ＸＣである場合に、非点灯時におけるＣ光源２度視野の反射色度（ＸＲ，ＹＲ）がＸＲ＜ＸＣかつＹＲ＜ＹＣであることを特徴とする有機ＥＬ装置。
【請求項３】
一対の電極間に少なくとも発光層を備え、前記発光層からの光を一方の前記電極で反射させるとともに他方の前記電極から出射させる有機ＥＬ装置であって、
ＣＩＥ１９３１表色系におけるＣ光源白色の色度（ＸＣ，ＹＣ）に対して、白表示における発光色度（ＸＥＬ，ＹＥＬ）がＸＥＬ＜ＸＣかつＸＥＬ＜ＸＣである場合に、非点灯時におけるＣ光源２度視野の反射色度（ＸＲ，ＹＲ）がＸＲ＞ＸＣかつＹＲ＞ＹＣであることを特徴とする有機ＥＬ装置。
【請求項４】
前記他方の電極の外側に、入射する外光を円偏光に変換する円偏光板が配置されていることを特徴とする請求項１ないし請求項３のいずれかに記載の有機ＥＬ装置。
【請求項５】
請求項１ないし請求項４のいずれかに記載の有機ＥＬ装置を備えたことを特徴とする電子機器。
【発明の詳細な説明】
【技術分野】
【０００１】
本発明は、有機ＥＬ装置および電子機器に関するものである。
【背景技術】
【０００２】
次世代の表示装置として、有機エレクトロルミネッセンス装置（有機ＥＬ装置）が期待されている。有機ＥＬ装置は、上下の電極間に発光層を挟持した有機ＥＬ素子を基体上に配設して構成されており、典型的には、ガラス等の透光性基板の上に、陽極と、有機機能層（正孔輸送層や発光層、電子輸送層等）と、陰極とを順次積層した構造が採られる。そして、陽極および陰極によって有機機能層に電流を供給することにより、有機機能層の発光層を発光させるようになっている。
【０００３】
有機ＥＬ装置は、主に陰極側から光を取り出すトップエミッション方式と、陽極側から光を取り出すボトムエミッション方式に分類される。そのうち、ボトムエミッション方式の有機ＥＬ装置は、一般に陽極がＩＴＯ等の透明導電性材料で形成され、陰極がＡｌ等の金属材料で形成されている。そして、発光層からの光を陰極で反射させるとともに、陽極から出射させて画像表示を行う構成となっている。
【０００４】
ボトムエミッション方式の有機ＥＬ装置において、外光が陽極から入射すると、その外光が陰極で反射するため表示が視認しにくくなる。この問題を解決するため、有機ＥＬ装置におけるガラス基板の外側に、円偏光板を配置する技術が提案されている（例えば、特許文献１ないし４参照）。円偏光板は、陽極側から位相差フィルムおよび偏光フィルムを順に積層して構成されている。この円偏光板に入射した外光は、まず偏光フィルムの透過軸に沿った直線偏光に変換され、さらに位相差フィルムにより円偏光に変換される。その円偏光が、陽極から有機ＥＬ素子に入射し、陰極において反射されると、回転方向の反転した円偏光に変換される。その円偏光は、位相差フィルムを再透過する際に、偏光フィルムの透過軸と直交する直線偏光に変換されるので、偏光フィルムによって吸収される。このように、円偏光板により外光を吸収して、有機ＥＬ装置の表示の見易さを確保している。
【特許文献１】特開平８−３２１３８１号公報
【特許文献２】特開平９−１２７８８５号公報
【特許文献３】特開２００１−７６８６５号公報
【特許文献４】特開２００２−３１１２３９号公報
【発明の開示】
【発明が解決しようとする課題】
【０００５】
しかしながら、現状では、可視光の全てを吸収しうるような理想的な円偏光板は存在しない。なお、理想に近い円偏光板が開発されているが、厚さが厚くなり特性が不安定になるなど問題が多い。そのため、一般的な円偏光板は、人間の視感度が高い緑色光のみを吸収するように構成されている。この場合、青色光および赤色光の一部が吸収されずに、有機ＥＬ装置の表示光が青味や黄味を帯びたものになるという問題がある。
【０００６】
本発明は、上記問題点を解決するためになされたものであって、表示光の着色を緩和して高画質の表示を実現することが可能な、有機ＥＬ装置および電子機器の提供を目的とする。
【課題を解決するための手段】
【０００７】
上記目的を達成するため、本発明の有機ＥＬ装置は、一対の電極間に少なくとも発光層を備え、前記発光層からの光を一方の前記電極で反射させるとともに他方の前記電極から出射させる有機ＥＬ装置であって、白表示における発光色度と、非点灯時における外光の反射色度とが、補色関係にあることを特徴とする。
一般的な有機ＥＬ装置では、純粋な白表示ではなく、青味または黄味を帯びた白表示を行うように設定されている。そこで、このような白表示における発光色度と補色関係になるように、非点灯時における外光の反射色度が黄味または青味を帯びるように設定すれば、表示光の着色を緩和することが可能になり、理想的な白表示を実現することができる。したがって、外光が存在する通常の環境下において、カラーバランスのとれた高画質の表示を実現することができる。
【０００８】
また、一対の電極間に少なくとも発光層を備え、前記発光層からの光を一方の前記電極で反射させるとともに他方の前記電極から出射させる有機ＥＬ装置であって、
ＣＩＥ１９３１表色系におけるＣ光源白色の色度（ＸＣ，ＹＣ）に対して、白表示における発光色度（ＸＥＬ，ＹＥＬ）がＸＥＬ＞ＸＣかつＸＥＬ＞ＸＣである場合に、非点灯時におけるＣ光源２度視野の反射色度（ＸＲ，ＹＲ）がＸＲ＜ＸＣかつＹＲ＜ＹＣであることを特徴とする。
この構成によれば、有機ＥＬ装置が黄味を帯びた白表示を行う場合に、非点灯時における外光の反射色度が青味を帯びるように設定する。この場合、両者が補色関係にあるので、理想的な白表示を実現することができる。したがって、外光が存在する通常の環境下において、カラーバランスのとれた高画質の表示を実現することができる。
【０００９】
また、一対の電極間に少なくとも発光層を備え、前記発光層からの光を一方の前記電極で反射させるとともに他方の前記電極から出射させる有機ＥＬ装置であって、ＣＩＥ１９３１表色系におけるＣ光源白色の色度（ＸＣ，ＹＣ）に対して、白表示における発光色度（ＸＥＬ，ＹＥＬ）がＸＥＬ＜ＸＣかつＸＥＬ＜ＸＣである場合に、非点灯時におけるＣ光源２度視野の反射色度（ＸＲ，ＹＲ）がＸＲ＞ＸＣかつＹＲ＞ＹＣであることを特徴とする。
この構成によれば、有機ＥＬ装置が青味を帯びた白表示を行う場合に、非点灯時における外光の反射色度が黄味を帯びるように設定する。この場合にも、両者が補色関係にあるので、理想的な白表示を実現することができる。したがって、外光が存在する通常の環境下において、カラーバランスのとれた高画質の表示を実現することができる。
【００１０】
また、前記他方の電極の外側に、入射する外光を円偏光に変換する円偏光板が配置されていることが望ましい。
この円偏光板をチューニングすることにより、非点灯時における外光の反射色度を調整することができる。
【００１１】
一方、本発明の電子機器は、上述した有機ＥＬ装置を備えたことを特徴とする。
この構成によれば、高画質の表示を実現することが可能な電子機器を提供することができる。
【発明を実施するための最良の形態】
【００１２】
以下、本発明の実施の形態について図面を参照しつつ説明する。尚、以下で参照する各図面においては、図面を見易くするために、各構成要素の寸法等を適宜変更して表示している。
【００１３】
（第１の実施形態）
図１は、本実施形態の有機エレクトロルミネッセンス装置（有機ＥＬ装置）の断面構成図である。本実施形態の有機ＥＬ装置１００は、図１に示すように、有機ＥＬ素子１１０の出力光を陽極１１側から取り出すボトムエミッション方式の有機ＥＬ装置である。
【００１４】
（有機ＥＬ装置の基本構成）
有機ＥＬ装置１００は、基板１０の上面に、有機ＥＬ素子１１０を配設してなる構成を備えている。有機ＥＬ素子１１０は、ガラス基板１０の一方面（図１の上面）側に、ＩＴＯ（インジウム錫酸化物）等の透明導電膜からなる陽極１１と、正孔輸送層１２と、発光層１３と、電子輸送層１４と、Ａｌ等の光反射性の金属膜からなる陰極２１とを順に積層した構成となっている。なお、正孔輸送層１２、発光層１３および電子輸送層１４は、有機機能材料からなる有機機能層１５を形成している。また、後に詳述するように、ガラス基板１０の他方面（図１の下面）側には、位相差フィルム３１および偏光フィルム３２が順に積層されて、円偏光板３０が構成されている。
【００１５】
陽極１１には、典型的には上記ＩＴＯが用いられるが、これに限らず、公知の透光性導電材料を用いることができる。
また、陰極２１には、良好な光反射性を具備したＡｌ（アルミニウム）を好適に用いることができる。この場合、陰極２１は、発光層１３で生じた光を陽極１１側へ反射する機能を有するものとなる。なお、Ａｌの他にも、Ａｕ（金）、Ａｇ（銀）、Ｃｒ（クロム）、Ｃｕ（銅）、Ｎｉ（ニッケル）、Ｃａ、Ｍｇ（マグネシウム）、Ｓｒ、Ｙｂ（イッテルビウム）、Ｅｒ（エルビウム）、Ｔｂ（テルビウム）、Ｓｍ（サマリウム）等の金属材料、およびこれらから選択される金属材料の薄膜を複数積層した構造とすることもできる。
【００１６】
発光層１３を構成し得る発光材料としては、蛍光あるいは燐光を発光することが可能な公知の高分子発光材料である、ポリフルオレン誘導体（ＰＦ）、ポリパラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリジアルキルフルオレン（ＰＤＡＦ）、ポリフルオレンベンゾチアジアゾール（ＰＦＢＴ）、ポリアルキルチオフェン（ＰＡＴ）や、ポリメチルフェニルシラン（ＰＭＰＳ）等のポリシラン系などを好適に用いることができる。また、これらの発光材料に、ペリレン系色素、クマリン系色素、ローダミン系色素などの高分子系材料や、ルブレン、ペリレン、９，１０−ジフェニルアントラセン、テトラフェニルブタジエン、ナイルレッド、クマリン６、キナクリドン等の低分子材料をドープして用いることもできる。
【００１７】
正孔輸送層１２は、陽極１１から発光層１３への電荷の注入効率を高めるとともに、発光層１３内を移動する電子をブロッキングする機能を奏し、発光層内での電子と正孔との再結合確率を高める作用を奏する。この正孔輸送層１２には、陽極１１からの注入障壁が低く、正孔移動度の高い材料が好適に用いられる。このような材料としては、例えばポリチオフェン誘導体、ポリピロール誘導体など、またはそれらのドーピング体などが用いられる。具体的には、３，４−ポリエチレンジオキシチオフェン／ポリスチレンスルフォン酸（ＰＥＤＯＴ／ＰＳＳ）［商品名；バイトロン−ｐ（Bytron-p）：バイエル社製］の分散液、すなわち、分散媒としてのポリスチレンスルフォン酸に３，４−ポリエチレンジオキシチオフェンを分散させ、さらにこれを水に分散させた分散液などが用いられる。
なお、必要に応じて、陰極２１から発光層１３への電子注入効率を高めるとともに、正孔ブロッキング機能を有する電子輸送層１４を形成してもよい。この電子輸送層１４は、オキサジアゾール誘導体やＡｌｑ３などの有機材料で形成することが可能である。
【００１８】
上記構成を備えた本実施形態の有機ＥＬ装置１００は、陽極１１と陰極２１との間に所定の電圧を印加することで、有機機能層１５に流れる電流量に応じて発光層１３において光が発生する。そして、発生した光を陽極１１から直接的に、また陰極２１で反射された光を間接的に、ガラス基板１０側から取り出すようになっている。
なお、発光層１３の材料を適当に選択することにより、発光層１３を異なる色光に発光させることができる。そこで、本実施形態の有機ＥＬ装置１００は、ＲＧＢ三原色のいずれかに発光する複数の有機ＥＬ素子１１０をマトリクス状に整列配置した構成となっている。
【００１９】
ところで、ＲＧＢ三原色の有機ＥＬ素子１１０をすべて点灯させると、有機ＥＬ装置１００では白表示が行われる。白色光の代表例として、国際照明委員会（ＣＩＥ）ではＣ光源を定めている。このＣ光源は、６７４０度Ｋの色温度をもつ光で、昼光に近いとされている。
図３は、ＣＩＥ１９３１表色系の色度図である。ＣＩＥ１９３１表色系において、Ｃ光源白色の色度（ＸＣ，ＹＣ）は、図３のＣ（０．３１０，０．３１６）である。
【００２０】
ただし、一般的な有機ＥＬ装置では、純粋な白表示ではなく、青味または黄味を帯びた白表示を行うように設定されている。このような白表示は、ＲＧＢ三原色の有機ＥＬ素子の駆動電圧を調整することによって行うことができる。
図４は、第１実施形態の有機ＥＬ装置の白表示における分光スペクトルである。第１実施形態の有機ＥＬ装置では、波長６４０ｎｍ付近の赤色光の発光強度が強くなっており、黄味を帯びた白表示を行うように設定されている。なお、ＣＩＥ１９３１表色系において、第１実施形態の有機ＥＬ装置の白表示における発光色度（ＸＥＬ，ＹＥＬ）は、図３のＥ１（０．３５４０，０．３７１７）であり、ＸＥＬ＞ＸＣかつＹＥＬ＞ＹＣとなっている。
【００２１】
（円偏光板）
図１に戻り、ガラス基板１０の光出射面側には、円偏光板３０が配設されている。この円偏光板３０は、ガラス基板１０側に配置された位相差フィルム３１と、その外側に配置された偏光フィルム３２とによって構成されている。この偏光フィルム３２は、ガラス基板１０の外側（図１の下側）から有機ＥＬ装置１００に入射する外光のうち、透過軸方向の直線偏光のみを透過させるものである。なお偏光フィルム３２は、トリアセチルセルロース（ＴＡＣ）等からなる支持基板の表面に、ヨウ素錯体等を吸着させたポリビニルアルコール（ＰＶＡ）等のフィルムを装着し、これを所定方向に延伸してＰＶＡ高分子およびヨウ素錯体を配向させることにより形成される。
【００２２】
また、位相差フィルム３１は、進相軸方向の屈折率が遅相軸方向の屈折率より小さい、いわゆる複屈折性を有するものである。なお、位相差フィルム３１は、トリアセチルセルロース（ＴＡＣ）等からなる支持基板の表面にポリカーボネート等のフィルムを装着し、これを所定方向に延伸してポリカーボネート分子を配向させることにより形成される。具体的には、位相差フィルム３１として日東電工製のＳＥＧ１４２５Ｄｕを採用することが可能である。ポリカーボネートからなる位相差フィルム３１は、波長分散が１．０９と比較的大きくなっている。なお波長分散とは、波長４５０ｎｍの透過光に付与される位相差（Ｒ４５０）と、波長５９０ｎｍの透過光に付与される位相差（Ｒ５９０）との比（Ｒ４５０／Ｒ５９０）で表される。
なお、ポリカーボネート系の位相差フィルム以外にも、ノルボルネン系の位相差フィルム（波長分散１．００）や、帝人株式会社製のＷＲＦ（波長分散０．７０）を用いることも可能である。
【００２３】
図２は、偏光フィルムおよび位相差フィルムの配置の説明図であって、図１の底面図である。図２に示すように、位相差フィルム３１の遅相軸３１ａは、偏光フィルム３２の透過軸３２ａと４５°をなすように配置されている。これにより、偏光フィルム３２を透過した直線偏光が、楕円偏光に変換されるようになっている。さらに、位相差フィルム３１の厚さは、位相差フィルム３１への入射光の波長をλとして、位相差フィルム３１のリタデーションが約λ／４となるように設定されている。すなわち、位相差フィルム３１として、いわゆるλ／４板が採用されている。そして、上述した偏光フィルム３２と、λ／４板である位相差フィルム３１とによって、入射光を円偏光に変換する円偏光板３０が構成されている。なお、λ／４板およびλ／２板を組み合わせた位相差フィルムにより、円偏光板を構成することも可能である。
【００２４】
そして、図１に示すガラス基板１０の外側（図１の下側）から有機ＥＬ装置１００に入射した光は、偏光フィルム３２により例えば紙面に垂直な直線偏光に変換される。この直線偏光は、位相差フィルム３１により例えば左回りの円偏光に変換され、ガラス基板１０を透過して有機ＥＬ素子１１０に入射する。この左回りの円偏光は、金属電極である陰極２１で反射される際に、進行方向に対して回転方向が反転し、右回りの円偏光になる。この右回りの円偏光が、位相差フィルム３１を再透過すると、紙面と平行な直線偏光に変換される。この直線偏光は、紙面と垂直な透過軸を有する偏光フィルム３２によって吸収される。このように、本実施形態の有機ＥＬ装置１００では、外光がパネルに入射する環境にて使用した場合にも、光反射性の陰極２１で反射された外光を偏光フィルム３２で吸収し、観察者に到達させないようになっている。
【００２５】
ところが、上記のように偏光フィルム３２で吸収される外光は、位相差フィルム３１がλ／４板として機能する、波長λ付近の外光に限られる。なお、可視光の全ての波長に対してλ／４板として機能する位相差フィルムを採用することが理想的ではあるが、現状ではそのような位相差フィルムは存在しない。また、理想に近い位相差フィルムが開発されているが、厚さが厚くなり特性が不安定になるなど問題が多い。そのため、一般的な位相差フィルムは、人間の視感度が最も高い緑色光（λ＝約５５０ｎｍ）の近傍の光に対して、λ／４板として機能するように設定されている。なお、このような位相差フィルムのＲ５９０値は約１４０ｎｍである。
【００２６】
これに対して、第１実施形態の位相差フィルム３１は、緑色光よりも長波長の光に対して、λ／４板として機能するものが採用されている。この位相差フィルムのＲ５９０値は約１６０ｎｍであり、厚さの調整によってチューニングすることが可能である。
図５は、第１実施形態の有機ＥＬ装置の非点灯時における反射分光スペクトルである。第１実施形態の有機ＥＬ装置は、波長６５０ｎｍ付近の反射光が偏光フィルムによって吸収されるように設定されている。逆に、波長４４０ｎｍ付近の青色光が偏光フィルムを積極的に透過するように設定されている。すなわち、有機ＥＬ装置の非点灯時における反射光は、青味を帯びたものとなっている。なお、ＣＩＥ１９３１表色系において、有機ＥＬ装置の非点灯時におけるＣ光源２度視野の反射色度（ＸＲ，ＹＲ）は、図３のＦ１（０．１６１５，０．１４７７）である。すなわち、上述したＣ光源白色の色度（ＸＣ，ＹＣ）に対して、ＸＲ＜ＸＣかつＹＲ＜ＹＣとなっている。
【００２７】
以上に詳述したように、第１実施形態の有機ＥＬ装置は、黄味を帯びた白表示を行うように設定されている。また、非点灯時における外光の反射色度が、青味を帯びるように設定されている。この場合、両者が補色関係にあるので、表示光の着色を緩和することが可能になり、理想的な白表示を実現することができる。したがって、外光が存在する通常の環境下において、カラーバランスのとれた高画質の表示を実現することができる。
【００２８】
なお本実施形態では、ボトムエミッション方式の有機ＥＬ装置を例にして説明したが、本発明をトップエミッション方式の有機ＥＬ装置に適用することも可能である。トップエミッション方式の有機ＥＬ装置では、陽極がＡｌ等の金属材料で構成され、陰極がＩＴＯ等の透明導電性材料で構成される。そして、発光層からの光を陽極で反射するとともに陰極から出射する構成となっている。そこで、有機ＥＬ素子の全体を密閉封止する封止基板の外側に円偏光板を配置して、その円偏光板を本実施形態と同様に構成すればよい。
【００２９】
（第２実施形態）
次に、第２実施形態の有機ＥＬ装置について説明する。第２実施形態の有機ＥＬ装置は、青味を帯びた白表示を行うように設定され、なおかつ非点灯時における外光の反射色度が黄味を帯びるように設定されている点で、第１実施形態の有機ＥＬ装置とは逆の構成になっている。なお、第１実施形態と同様の構成となる部分については、その詳細な説明を省略する。
【００３０】
図６は、第２実施形態の有機ＥＬ装置の白表示における分光スペクトルである。第２実施形態の有機ＥＬ装置では、波長４４０ｎｍ付近の青色光の発光強度が強くなっており、青味を帯びた白表示を行うように設定されている。なお、ＣＩＥ１９３１表色系において、第２実施形態の有機ＥＬ装置の白表示における発光色度（ＸＥＬ，ＹＥＬ）は、図３のＥ２（０．２４３２，０．２６４１）であり、ＸＥＬ＜ＸＣかつＹＥＬ＜ＹＣとなっている。
【００３１】
これに対して、第２実施形態の位相差フィルムは、緑色光よりも短波長の光に対して、λ／４板として機能するものが採用されている。この位相差フィルムのＲ５９０値は約１１５ｎｍとなっている。
図７は、第２実施形態の有機ＥＬ装置の非点灯時における反射分光スペクトルである。第２実施形態の有機ＥＬ装置は、波長４９０ｎｍ付近の反射光が偏光フィルムによって吸収されるように設定されている。逆に、波長６４０ｎｍ付近の赤色光が偏光フィルムを積極的に透過するように設定されている。すなわち、有機ＥＬ装置の非点灯時における反射光は、黄味を帯びたものとなっている。なお、ＣＩＥ１９３１表色系において、有機ＥＬ装置の非点灯時におけるＣ光源２度視野の反射色度（ＸＲ，ＹＲ）は、図３のＦ２（０．４９０２，０．３４０３）である。すなわち、上述したＣ光源白色の色度（ＸＣ，ＹＣ）に対して、ＸＲ＞ＸＣかつＹＲ＞ＹＣとなっている。
【００３２】
このように、第２実施形態の有機ＥＬ装置は、青味を帯びた白表示を行うように設定されている。また、非点灯時における外光の反射色度が、黄味を帯びるように設定されている。この場合にも、両者が補色関係にあるので、表示光の着色を緩和することが可能になり、理想的な白表示を実現することができる。したがって、外光が存在する通常の環境下において、カラーバランスのとれた高画質、かつ、視認性に優れた表示を実現することができる。
【００３３】
（電子機器）
図８は、上記各実施形態の有機ＥＬ装置を備えた電子機器の一例を示す斜視構成図である。同図に示す携帯電話機１３００は、複数の操作ボタン１３０２と、受話口１３０３と、送話口１３０４と、先の実施形態の有機ＥＬ装置からなる表示部１３０１とを備えて構成されている。そして、この携帯電話機１３００によれば、表示部に備えられた有機ＥＬ装置による高画質表示が可能になっている。
なお、本発明における有機ＥＬ装置を備えた電子機器としては、上記のものに限らず、他に例えば、デジタルカメラ、パーソナルコンピュータ、テレビ、携帯用テレビ、ビューファインダ型・モニタ直視型のビデオテープレコーダ、ＰＤＡ、携帯用ゲーム機、ページャ、電子手帳、電卓、時計、ワードプロセッサ、ワークステーション、テレビ電話、ＰＯＳ端末、タッチパネルを備えた機器などを挙げることができる。また、本発明における有機ＥＬ装置を備えた電子機器として、車載用オーディオ機器や自動車用計器、カーナビゲーション装置等の車載用ディスプレイを挙げることもできる。
【図面の簡単な説明】
【００３４】
【図１】第１実施形態の有機ＥＬ装置の断面構成図である。
【図２】偏光フィルムおよび位相差フィルムの配置の説明図である。
【図３】ＣＩＥ１９３１表色系の色度図である。
【図４】第１実施形態の有機ＥＬ装置の白表示における分光スペクトルである。
【図５】第１実施形態の有機ＥＬ装置の非点灯時における反射分光スペクトルである。
【図６】第２実施形態の有機ＥＬ装置の白表示における分光スペクトルである。
【図７】第２実施形態の有機ＥＬ装置の非点灯時における反射分光スペクトルである。
【図８】電子機器の一例である携帯電話機の斜視構成図である。
【符号の説明】
【００３５】
Ｃ‥Ｃ光源白色の色度  Ｅ１，Ｅ２‥白表示における発光色度  Ｆ１，Ｆ２‥非点灯時における外光の反射色度
【図１】
2006049463.tif 000003
【図２】
2006049463.tif 000004
【図３】
2006049463.tif 000005
【図４】
2006049463.tif 000006
【図５】
2006049463.tif 000007
【図６】
2006049463.tif 000008
【図７】
2006049463.tif 000009
【図８】
2006049463.tif 000010